(57)【要約】【課題】天井目地枠の穴明け作業を要することなく、透光板の落下を防ぐ落下防止体を天井目地枠に取り付けることができるエレベータの照明装置の提供。【解決手段】本発明は、例えば、乗りかごの天井板５の下面に設けられた照明器具６と、天井板５の下面から垂下され、照明器具６を囲むように配置された天井目地枠７と、この天井目地枠７の垂直部７ａの下端に連設される折り返し部７ｂに保持され、照明器具６の下方に配置される透光板９とを有する既設エレベータに適用可能であって、天井目地枠７の折り返し部７ｂに１枚の透光板９当り２以上、例えば四角形状の透光板９の４辺に設けられ、透光板９が載置されるとともに、透光板９が載置された状態で透光板９の上下左右への動作を規制する落下防止体８と、天井目地枠７の折り返し部７ｂの上面に当接した状態で落下防止体８を折り返し部に固定するボルト１１とを備えた構成にしてある。【選択図】図２
2013159440.tif 000002
【特許請求の範囲】
【請求項１】
乗かごの天井板の下面に設けられた照明器具と、前記天井板の下面から垂下され、前記照明器具を囲むように配置された天井目地枠と、この天井目地枠の垂直部の下端に連設される折り返し部に保持され、前記照明器具の下方に配置される透光板とを有するエレベータの照明装置において、
前記天井目地枠の前記折り返し部に１枚の前記透光板当り２つ以上設けられ、前記透光板が落下しないように載置されるとともに、前記透光板が載置された状態で前記透光板の上下左右への動作を規制する落下防止体と、
前記天井目地枠の前記折り返し部の上面に当接した状態で前記落下防止体を前記折り返し部に固定するボルトとを備えたことを特徴とするエレベータの照明装置。
【請求項２】
請求項１に記載のエレベータの照明装置において、
前記透光板を付勢可能なばね体を、１枚の前記透光板当り２つ以上設けたことを特徴とするエレベータの照明装置。
【請求項３】
請求項１または２に記載のエレベータの照明装置において、
前記落下防止体は、縦断面が略Ｓ字形状の板部材から成り、
前記落下防止体が、前記天井目地枠の前記垂直部の前記透光板の端部に対向する面に当接する上部垂直部と、この上部垂直部の上端から水平方向に折り曲げ形成された上部曲げ部と、前記上部垂直部の下端から水平方向に折り曲げ形成され、前記透光板が載置される中間曲げ部と、この中間曲げ部の前記透光板の側に位置する端部から下方に折り曲げ形成された下部垂直部と、前記天井目地枠の前記折り返し部の下面に当接し、前記下部垂直部の下端から水平方向に折り曲げ形成された下部曲げ部とを有することを特徴とするエレベータの照明装置。
【請求項４】
請求項３に記載のエレベータの照明装置において、
前記透光板を前記ばね体を介して前記落下防止体の前記中間曲げ部に載置させた状態にあって、前記落下防止体の前記上部曲げ部が、上面視で前記透光板の端部を隠すように、前記落下防止体の前記上部曲げ部を形成したことを特徴とするエレベータの照明装置。
【請求項５】
請求項４に記載のエレベータの照明装置において、
前記天井目地枠の前記垂直部側に位置する前記落下防止体の前記下部曲げ部の端面と、前記落下防止体の前記上部垂直部が当接する面とは反対側に位置する前記天井目地枠の前記垂直部の面とを、面一に形成したことを特徴とするエレベータの照明装置。
【発明の詳細な説明】
【技術分野】
【０００１】
本発明は、かご室の天井板に設けられた照明器具を囲むように配置される天井目地枠を備えたエレベータの照明装置に関する。
【背景技術】
【０００２】
この種の従来技術として特許文献１に示されるものがある。この従来技術は、エレベータのかご室内に設置される照明装置であり、この照明装置は、照明器具を下面に固定した天蓋と、この天蓋から下方に延在した天井目地枠と、この天井目地枠に支持された照明板、すなわち照明光を透過、あるいは拡散させる透光板とを備えた構成になっている。また、この特許文献１に示される従来技術は、天井目地枠の下端に、照明板の端部が挿入される溝部が形成されており、天井目地枠の下端に照明板の端部が挿入されることによって天井目地枠からの照明板の脱落が防止されるようになっている。
【先行技術文献】
【特許文献】
【０００３】
【特許文献１】特開２００３−２５２５５１号公報
【発明の概要】
【発明が解決しようとする課題】
【０００４】
ところで従来の既存エレベータの中には、天井目地枠に、照明板すなわち透光板の落下を防止する落下防止手段を備えていないものもある。このような既存のエレベータのかご室内の天井目地枠に落下防止手段、例えば板状体を折り曲げ形成して成る落下防止体を取り付けることを考えた場合、従来にあっては天井目地枠に対してドリルなどの専用工具による煩雑な複数個の穴明け作業が必要となる。このような穴明け作業に際しては、かご室内における作業スペースの確保、及び作業後のドリルの切子の処理が必要になるため、作業が長時間になりやすい。これによりエレベータの乗客に対するサービス性が低下する。なお、天井目地枠自体を落下防止体を備えた新製品に交換すれば、かご室内における上述のような穴明け作業は実施しなくて済む。しかし、このように天井目地枠も含めて新製品に交換する場合には多大な費用がかかってしまう。
【０００５】
本発明は、前述した従来技術における実状からなされたもので、その目的は、天井目地枠の穴明け作業を要することなく、透光板の落下を防ぐ落下防止体を天井目地枠に取り付けることができるエレベータの照明装置を提供することにある。
【課題を解決するための手段】
【０００６】
前記目的を達成するために、本発明に係るエレベータの照明装置は、乗かごの天井板の下面に設けられた照明器具と、前記天井板の下面から垂下され、前記照明器具を囲むように配置された天井目地枠と、この天井目地枠の垂直部の下端に連設される折り返し部に保持され、前記照明器具の下方に配置される透光板とを有するエレベータの照明装置において、前記天井目地枠の前記折り返し部に１枚の前記透光板当り２つ以上設けられ、前記透光板が落下しないように載置されるとともに、前記透光板が載置された状態で前記透光板の上下左右への動作を規制する落下防止体と、前記天井目地枠の前記折り返し部の上面に当接した状態で前記落下防止体を前記折り返し部に固定するボルトとを備えたことを特徴としている。
【０００７】
このように構成した本発明は、ボルトをかご室内の天井目地枠の折り返し部の上面に当接させた状態で、このボルトによって落下防止体を天井目地枠の折り返し部に固定するようにしてあることから、天井目地枠の穴明け作業を要することなく、天井目地枠の折り返し部に落下防止体に取り付けることができ、このように取り付けられた落下防止体によって、透光板を、この透光板の上下左右の動作を規制するように保持させることができる。
【０００８】
また本発明は、前記発明において、前記透光板を付勢可能なばね体を、１枚の前記透光板当り２つ以上設けたことを特徴としている。
【０００９】
また本発明は、前記発明において、前記落下防止体は、縦断面が略Ｓ字形状の板部材から成り、前記落下防止体が、前記天井目地枠の前記垂直部の前記透光板の端部に対向する面に当接する上部垂直部と、この上部垂直部の上端から水平方向に折り曲げ形成された上部曲げ部と、前記上部垂直部の下端から水平方向に折り曲げ形成され、前記透光板が載置される中間曲げ部と、この中間曲げ部の前記透光板の側に位置する端部から下方に折り曲げ形成された下部垂直部と、前記天井目地枠の前記折り返し部の下面に当接し、前記下部垂直部の下端から水平方向に折り曲げ形成された下部曲げ部とを有することを特徴としている。
【００１０】
また本発明は、前記発明において、前記透光板を前記ばね体を介して前記落下防止体の前記中間曲げ部に載置させた状態にあって、前記落下防止体の前記上部曲げ部が、上面視で前記透光板の端部を隠すように、前記落下防止体の前記上部曲げ部を形成したことを特徴としている。
【００１１】
また本発明は、前記発明において、前記天井目地枠の前記垂直部側に位置する前記落下防止体の前記下部曲げ部の端面と、前記落下防止体の前記上部垂直部が当接する面とは反対側に位置する前記天井目地枠の前記垂直部の面とを、面一に形成したことを特徴としている。
【発明の効果】
【００１２】
本発明は、ボルトをかご室内の天井目地枠の折り返し部の上面に当接させた状態で、このボルトによって落下防止体を天井目地枠の折り返し部に固定するようにしてあることから、天井目地枠の穴明け作業を要することなく落下防止体を取り付けることができる。したがって、既存のエレベータに適用する場合に、穴明け作業のためのかご室内における作業スペースの確保とか、作業後のドリルの切子の処理が不要となり、落下防止体の設置に要する作業時間を従来に比べて短縮させることができる。したがって、既存エレベータの利用者に対するサービス性を向上させることができる。また、既存エレベータに本発明を適用する場合には、既設の天井目地枠を、落下防止体が予め取り付けられた天井目地枠のような高価な新製品に交換する必要が無く、従来に比べて安い費用で透光板の落下を防ぐ落下防止体を天井目地枠に取り付けることができる。
【図面の簡単な説明】
【００１３】
【図１】本発明に係るエレベータの照明装置の一実施形態を示す断面図である。
【図２】図１の要部拡大図である。
【図３】本発明に係る照明装置の一実施形態が配置されるエレベータのかご室の内部を、かご室の奥側からかご戸側に向かって見た斜視図である。
【図４】既存のエレベータの照明装置を示す断面図である。
【発明を実施するための形態】
【００１４】
以下、本発明に係るエレベータの照明装置の実施の形態を図に基づいて説明する。
【００１５】
図３は本発明に係る照明装置の一実施形態が配置されるエレベータのかご室の内部を、かご室の奥側からかご戸側に向かって見た斜視図、図４は既存のエレベータの照明装置を示す断面図である。
【００１６】
図３に示すように、エレベータのかご室は一般に、床１と、側板２と、かご戸３と、天井４とから構成されている。また、図４に示すように、既存のエレベータの照明装置は、天井４を形成する天井板５の下面に設けられた照明装置６と、天井板５の下面から垂下され、照明装置６を囲むように配置される天井目地枠７と、この天井目地枠７の垂直部７ａの下端に連設される折り返し部７ｂに保持され、照明装置６の下方に配設される透光板９とを有している。照明装置６は１灯以上の数、設けられている。また、透光板９は半透明のアクリル素材等で形成され、照明器具６の光を拡散させ、かご室内をムラ無く照射する。
【００１７】
天井目地枠７の折り返し部７ｂの水平方向の幅寸法は、透光板９を載置した際に透光板９が安定して保持されるのに十分な寸法となっている。一方、透光板９の幅寸法は、天井目地枠７の垂直部７ａから一定の隙間が空く寸法に設定されている。一般的な既存エレベータの透光板９を取り外す際には、透光板９を左右のどちらかに水平移動させて天井目地枠７の垂直部７ａに当接させ、当接した側とは反対側の透光板９の部分をかご室内から上方に押し上げ、透光板９を斜めに傾けて取り外すようになっている。
【００１８】
なお、既存のエレベータの照明装置は前述のような構成であるため、かご室内から長尺物を透光板９にぶつけたり、悪戯等で透光板９が下から突かれた際などに、透光板９が斜めに浮き上がり、最悪の場合には、透光板９が天井目地枠７の折り返し部７ｂから脱落してかご室内に落下し、透光板９を破損させるばかりか、落下した透光板９がかご室内の利用者に当たる虞も否定できなかった。
【００１９】
図１は本発明に係るエレベータの照明装置の一実施形態を示す断面図、図２は図１の要部拡大図である。
【００２０】
本実施形態に係る照明装置は、例えば図３，４に示す既存エレベータに適用されるものであり、図１，２に示すように、天井目地枠７の折り返し部７ｂに１枚の透光板９当り２つ以上、例えば四角形状の透光板９の４辺のそれぞれに対応するように４つ設けられ、透光板９が落下しないように載置されるとともに、透光板９が載置された状態で透光板９の上下左右への動作を規制する落下防止体８を備えている。また、本実施形態は、図２に示すように、天井目地枠７の折り返し部７ｂの上面に当接した状態で落下防止体８を折り返し部に固定するボルト１１を備えている。また、本実施形態は、透光板９を水平方向に付勢可能なばね体１０を、１枚の透光板９当り２つ以上設けてある。
【００２１】
図２に示すように、前述の落下防止体８は、縦断面が略Ｓ字形状の板部材から成っている。この落下防止体８は、天井目地枠７の垂直部７ａの透光板９の端部に対向する面に当接する上部垂直部８ｂと、この上部垂直部８ｂの上端から水平方向に折り曲げ形成された上部曲げ部８ａと、上部垂直部８ｂの下端から水平方向に形成され、透光板９が載置されて保持される中間曲げ部８ｃとを有している。また、この落下防止体８は、中間曲げ部８ｃの透光板９の側に位置する端部から下方に折り曲げ形成され、天井目地枠７の折り返し部７ｂの端部７ｃに当接する下部垂直部８ｄと、天井目地枠７の折り返し部７ｂの下面に当接し、下部垂直部８ｄの下端から水平方向に折り曲げ形成された下部曲げ部８ｅとを有している。
【００２２】
なお、ボルト１１は、例えば落下防止体８に形成したねじ部に螺合させてあり、このボルト１１の螺合程度に応じて落下防止体８の下部折り曲げ部８ｅが天井目地枠７の折り返し部７ｂの下面に当接する。すなわち、ボルト１１と、落下防止体８の下部折り曲げ部８ｅとによって、天井目地枠７の折り返し部７ｂを挟持し固定することにより、落下防止体８が天井目地枠７の折り返し部７ｂに取り付けられる。また、透光板９には図示しないが、透光板９をばね体１０の弾性力に抗して水平方向に移動させた際に、ボルト１１との干渉を生じさせないように、このボルト１１を挿入可能な切り欠き部を形成してある。
【００２３】
前述した落下防止体８の中間曲げ部８ｃと、下部折り曲げ部８ｅとは、天井目地枠７の折り返し部７ｂを挟むように配置されるが、例えば中間曲げ部８ｃの下面と下部曲げ部８ｅの上面との間隔が、天井目地枠７の折り返し部７ｂの厚さ寸法よりも大きくなるように設定してある。すなわち本実施形態では下部垂直部８ｄの長さが中間曲げ部８ｃの下面と下部曲げ部８ｅの上面との間隔が、天井目地枠７の折り返し部７ｂの厚さ寸法よりも大きくなる寸法とされている。
【００２４】
前述したばね体１０は、一端が落下防止体８の上部垂直部８ｂに係着され、他端が透光板９の端部に係着されるように配置してある。このばね体１０を介して、透光板９を左右の落下防止体８で挟み込むことによって透光板９の水平方向の動きを規制している。
【００２５】
また、透光板９をばね体１０を介して落下防止体８の中間曲げ部８ｃに載置させ保持させた状態にあって、落下防止体８の上部曲げ部８ａが、上面視で透光板９の端部を隠すように、落下防止体９の上部曲げ部８ａを形成してある。これにより、悪戯等によって透光板９が鉛直方向に持ち上げられた場合に、透光板９の動きが落下防止体８の上部曲げ部８ａで規制され、透光板９が一定高さ以上に持ち上がることがない。このために透光板９が落下防止体８の中間曲げ部８ｃから外れてかご室内へ脱落することを防止できる。なお、落下防止体８の上部曲げ部８ａの寸法は、当該照明装置の保守、点検を行う作業員が透光板９を脱着するような場合には、透光板９と干渉しないように考慮されている。
【００２６】
また、図２に示すように、天井目地枠７の垂直部７ａ側に位置する落下防止体８の下部曲げ部８ｅの端面８ｆと、落下防止体８の上部垂直部８ｂが当接する面とは反対側に位置する天井目地枠７の垂直部７ａの面とを、面一に形成してある。
【００２７】
前述のように構成した本実施形態において、例えば作業員が透光板９を落下防止体８の中間曲げ部８ｃから脱着させる際には、透光板９をばね体１０の弾性力に抗して水平方向に押し込み、このように押し込んだ状態を維持したまま、押し込んだ側と逆側の透光板９の端部を円弧を描くように持ち上げて透光板９を傾斜させ、それまで保持されていた落下防止体８の中間曲げ部８ｃから脱落させることが行われる。前述のように、落下防止体８の上部曲げ部８ａは、ばね体１０を押し込んでから透光板９を持ち上げる場合には、透光板９と干渉しない寸法に予め設定されている。
【００２８】
本実施形態によれば、ボルト１１をかご室内の天井目地枠７の折り返し部７ｂの上面に当接させた状態で、このボルト１１によって落下防止体８を天井目地枠７の折り返し部７ｂに固定するようにしてあることから、天井目地枠８の穴明け作業を要することなく落下防止体８を取り付けることができる。したがって、既存のエレベータに適用する場合に、穴明け作業のためのかご室内における作業スペースの確保とか、作業後のドリルの切子の処理が不要となり、落下防止体８の設置に要する作業時間を短くすることができる。したがって、既存エレベータの利用者に対するサービス性を向上させることができる。また、既存エレベータに本実施形態を適用する場合に、既存の天井目地枠を、落下防止体８が予め取り付けられた天井目地枠のような高価な新製品に交換する必要がなく、比較的安い費用で透光板９の落下を防ぐことができる。
【００２９】
また、本実施形態は、天井目地枠７の４辺の全てに落下防止体８を設けてあることから、落下防止体８の下部曲げ部８ｅが、天井目地枠７の折り返し部７ｂの下面の全面を覆う状態とすることができる。すなわち、天井目地枠７の折り返し部７ｂがかご室内に露出することがなく、優れた美観を確保することができる。
【００３０】
なお、落下防止体８の下部曲げ部８ｅにヘアライン加工や塗装を施すようにしてもよい。このようにした場合には、さらに優れた美観を確保することができる。
【００３１】
なお本実施形態では、天井目地枠７の４辺の全てに落下防止体８を設けた例を挙げて説明したが、本発明は少なくとも天井目地枠７の対向する２辺に落下防止体８を設ける構成であれば透光板９の落下を防止して保持するという目的を達成することができる。なお、このように天井目地枠７の対向する２辺に落下防止体８を設ける構成であってもばね体１０により他方の落下防止体８に透光板９を押し付ける構成のため、透光板９が載置された状態では透光板９の上下左右への動きを規制することができる。そしてこのような構成において、透光板９の一辺の長さが長い場合には、ばね体１０を少なくとも片側の落下防止体８に透光板９の一辺の両端かその近傍に１つずつ設けるというように、ばね体１０を２つ以上に設けると透光板９のより安定した保持が可能となる。
【００３２】
さらにまた、本実施形態では天井目地枠７の折り返し部７ｂの下面の全面を覆う状態とするものではなく、天井目地枠７の折り返し部７ｂの下面の一部を覆うような長さの落下防止体８が取り付けられる構成であってもやはり透光板９の落下を防止して保持するという目的を達成することができる。したがって、天井目地枠７の対向する２辺に落下防止体８を設ける構成や天井目地枠７の折り返し部７ｂの下面の一部を覆うような長さの落下防止体８が取り付けられる構成であってもよい。そしてこのような構成において、透光板９の一辺の長さが長い場合には、ばね体１０を備えた落下防止体８を透光板９の一辺の両端かその近傍に１つずつ設けるというように、ばね体１０を備えた落下防止体８を一辺に２つ以上に設けると透光板９のより安定した保持が可能となる。
【符号の説明】
【００３３】
４    天井
５    天井板
６    照明器具
７    天井目地枠
７ａ  垂直部
７ｂ  折り返し部
８    落下防止体
８ａ  上部曲げ部
８ｂ  上部垂直部
８ｃ  中間曲げ部
８ｄ  下部垂直部
８ｅ  下部曲げ部
８ｆ  端部
９    透光板
１０    ばね体
１１    ボルト
【図１】
2013159440.tif 000003
【図２】
2013159440.tif 000004
【図３】
2013159440.tif 000005
【図４】
2013159440.tif 000006